(57)【要約】【課題】  水路管設備からの氷雪の落下を抑制することができる氷雪落下防止構造を提供する。【解決手段】  道路等の通行帯の上方を横切るように施設された管理橋Ｂと、この管理橋に支持され当該管理橋Ｂに沿って配設された管体１０とを含む配管設備に対し、次のように施設される。すなわち、管体１０の頂部を最上部とし、管体１０の両横斜め下方に向けて防雪用シート２２を配設する。当該防雪用シート２２の両側端縁は管理橋Ｂの手すり１４に締結する。さらに、管理橋Ｂの手すり１４には、排水管２３ａと連通する樋２３を設け、防雪用シート２２から落下してきた水や氷雪を樋２３に導き、排水管２３ａを通して排出する【選択図】      図２
2008075341.tif 000002
【特許請求の範囲】
【請求項１】
通行帯の上方を横切るように施設された管理橋と、この管理橋に支持され当該管理橋に沿って配設された管体とを含む配管設備において、
前記管体の頂部を最上部とし、管体の両横斜め下方に向けて防雪用シートを配設するとともに、当該防雪用シートの両側端縁を前記管理橋に締結し、
さらに、前記管理橋に排水管と連通する樋を設け、前記防雪用シートから落下してきた水や氷雪を当該樋に導き、排水管を通して排出する構成としたことを特徴とする氷雪落下防止構造。
【請求項２】
請求項１の氷雪落下防止構造において、
前記管体の外周面に前記防雪用シートを支持する骨組みを設けたことを特徴とする氷雪落下防止構造。
【請求項３】
請求項１又は２の氷雪落下防止構造において、
前記防雪用シートは、雪の重みを受けて弾力的に撓む可撓性を有していることを特徴とする氷雪落下防止構造。
【請求項４】
請求項１乃至３のいずれか一項に記載した氷雪落下防止構造において、
前記防雪用シートは、ロープによって前記管理橋へ着脱自在に締結されていることを特徴とする氷雪落下防止構造。
【発明の詳細な説明】
【技術分野】
【０００１】
この発明は、道路等の通路帯の上方に施設されている水路管等の管体から、雪や氷柱が落下する現象を抑制する氷雪落下防止構造に関する。
【背景技術】
【０００２】
従来、水力発電所では、ダムなどの貯水池と発電所との間に水路管が施設され、この貯水池から搬送されてきた水を発電に利用している。このような水路管は、水の効率的な搬送を確保するため、なるべく直線状に保たれたまま施設される。通常、水路管は山中に構築された専用のトンネル内を通しているが、例えば、山間部や谷間を介する場合、トンネルから出して空中に露出した状態で架設されることがある。
【０００３】
ところで、山間部や谷間には、その地形に沿って、自動車や歩行者が往来する道路などの通行帯が通っている場合がある。水路管は、かかる通行帯の上方を横切るように施設される。
【発明の開示】
【発明が解決しようとする課題】
【０００４】
さて、我が国の山間部では、冬季に降雪する地域が多い。通行帯の上方に施設された水路管に雪が積もると、時として雪の塊が下方を通る通行帯へ落下することがある。また、水路間に積もった雪が、昼間気温の上昇とともに融解して通行帯へ滴下することもあり、それが気温の低下に伴い氷柱となり風圧で折れて通行帯に落下することもある。
通行帯には、自動車や歩行者が往来するため、これら雪の塊や氷柱が落下する現象は、通行する自動車や歩行者を驚かせ、迷惑となるおそれがあった。
【０００５】
この発明は、このような実情に鑑みてなされたもので、水路管等の配管設備の下方を通る通路帯への氷雪の落下を抑制することができる氷雪落下防止構造の提供を目的とする。
【課題を解決するための手段】
【０００６】
上記目的を達成するために、本発明は、通行帯の上方を横切るように施設された管理橋と、この管理橋に支持され当該管理橋に沿って配設された管体とを含む配管設備において、
管体の頂部を最上部とし、管体の両横斜め下方に向けて防雪用シートを配設するとともに、当該防雪用シートの両側端縁を管理橋に締結し、
さらに、管理橋に排水管と連通する樋を設け、防雪用シートから落下してきた水や氷雪を当該樋に導き、排水管を通して排出する構成としたことを特徴とする。
【０００７】
かかる構成によれば、防雪用シートの上面に雪が堆積するとともに、防雪用シートから流れ落ちる雪や水は樋に導かれ、排水管を通して排出される。したがって、配管設備の下方を通る通行帯への氷雪の落下を抑制することができる。
【０００８】
ここで、本発明の氷雪落下防止構造は、管体の外周面に骨組みを設け、この骨組みによって防雪用シートを支持する構成とすることが好ましい。
また、防雪用シートは、雪の重みを受けて弾力的に撓む可撓性を有していることが好ましい。このように構成すれば、降雪量が多いときなどは、雪の重みで防雪用シートが沈み込んで雪を保持する。その結果、樋に収容しきれないほどの多量の雪が防雪用シートをいっきに滑り落ちる事態を回避できる。
【０００９】
また、防雪用シートは、ロープによって管理橋へ着脱自在に締結することができる。このように構成すれば、防雪用シートの施設作業が容易であり、しかも防雪用シートの交換作業も容易に行うことができる。
【発明を実施するための最良の形態】
【００１０】
以下、この発明の実施の形態について図面を参照して詳細に説明する。
図１乃至図４は、本発明の実施形態に係る氷雪落下防止構造の構成を示す図である。
図１に示すように、本実施形態の氷雪落下防止構造２は、山間部を通る道路などの通路帯Ａの上方に施設された水路管設備１（配管設備）に設けられる。水路管設備１は、管理橋Ｂと、この管理橋Ｂに支持され当該管理橋Ｂに沿って配設された管体１０とを含む。
【００１１】
図２は、本実施形態に係る氷雪落下防止構造を示す斜視図であり、図３（ａ）は同じく平面図、同図（ｂ）は同じく側面図である。また、図４は氷雪落下防止構造の正面断面図である。
管体１０は、内部が空洞となっており貯水池からの水がその空洞内を通り搬送されていく。この管体１０は、フランジ部１１を有した複数の円環の鋼材を連ねて、円筒状に接合した構成である。また、管体１０は、管理橋Ｂの上面中央部に配設されており、その両脇には、保守管理用の作業通路１２が設けられている。作業通路１２には、一定の幅を有した床板１３と手すり１４が設けられており、作業員が歩行でき、管体１０や本実施形態に係る氷雪落下防止構造の保守管理を行える環境を整えている。
【００１２】
管体１０の外周面には、複数本のパイプ部材２１を軸方向に配設して骨組み２０が形成してある。図４に示すように、本実施形態では、複数本のパイプ部材２１を、管体１０の両端にあるフランジ部１１の頂部位置と、この頂部から略４５°斜め下方の位置と、作業通路１２に設けた手すり１４の上縁と、にそれぞれ配設してある。
【００１３】
氷雪落下防止構造２は、この骨組み２０と、防雪用シート２２及び樋２３の各構成要素を含んでいる。
【００１４】
防雪用シート２２は、骨組み２０に支持されて管体１０を覆う。この防雪用シート２２は、管体１０の頂部を最上部として、管体の両横斜め下方に向けて配設される。防雪用シート２２の両側端縁には、取付孔２４が一定間隔ごとに並べて設けてあり、この取付孔２４にロープ２５を通すとともに、当該ロープ２５を作業通路１２に設けた手すり１４に締結して、防雪用シート２２の両側端縁を手すり１４に固定している。
このような施設作業は比較的容易であり、しかもロープ２５を解くだけで防雪用シート２２を簡単に取り外すことができるため、防雪用シート２２の交換作業を容易に行える利点がある。
【００１５】
防雪用シート２２は、一定量の雪の重みに対して弾力的に撓む可撓性を有している。このような可撓性を有したシート材としては、ビニロンシートや塩化ビニールシートなどがあり、適用これらのシート材が防雪用シート２２に好適である。防雪用シート２２は、弾力的に撓むことで降り積もる雪を防雪用シート２２の上面に保持させることができる。よって、降雪量が多いときは特に雪の重みで防雪用シートが沈み込み、その雪が保持されるので、樋２３に収容しきれないほどの多量の雪が防雪用シート２２をいっきに滑り落ちる事態を回避できる。
【００１６】
樋２３は、防雪用シート２２から落下してくる雪や水を収容できるように、十分な溝幅を有した形状であり、手すり１４の外側面に固定して設けられている。樋２３の長さは、防雪用シート２２の長さに合わせてある。これら防雪用シート２２及び樋２３の長さを任意に設定できるが、好ましくは下方を通る通行帯Ａの幅に合わせるか、それよりもやや長目に設定する。
【００１７】
樋２３の一端には、排水管２３ａが接続してあり、雪や水が導かれる樋２３の凹部内は、排水管２３ａの中空部に連通している。樋２３及び排水管２３ａには、樋２３の他端を最上部とする勾配が付けられている（図２参照）。この勾配により、樋２３内に導かれてきた水や、樋２３内で雪が溶けてできた水は、排水管２３ａの下流へ向かって排出されていく。
【００１８】
以上のような構成の氷雪落下防止構造２は、水路管設備１の下方を通る通行帯Ａへの氷雪の落下を抑制する機能を有している。すなわち、雪は防雪用シート２２の上面に降り積もっていく。既述したように防雪用シート２２は、弾力的に撓む可撓性を有しているので、積雪量が増えると雪の重みで凹状にたわみ、これにより雪の塊がいっきに滑り落ちることを回避できる。
【００１９】
気温の上昇とともに、防雪用シート２２の上面に保持されていた雪が融解し、水となって樋２３に流れ落ちる。このとき、水混じりの雪が樋２３に落下することもある。このようにして樋２３に流れ落ちた水や、樋２３内で雪溶けしてできた水は、排水管２３ａを通り排出されていく。
【００２０】
なお、本発明は、上述した実施形態に限定されるものではなく、必要に応じて変形実施や応用実施が可能であることは勿論である。
例えば、本発明の氷雪落下防止構造が施設される配管設備としては、水路管設備に限定されず、ガス配管設備や石油搬送用のパイプラインなども含む。また、これら配管設備の下方を通る通路帯としては、道路に限らず、船が航行する河川なども含まれる。
【図面の簡単な説明】
【００２１】
【図１】本実施形態に係る氷雪落下防止構造が施設された水路管設備の全体構成を示す側面図である。
【図２】本実施形態に係る氷雪落下防止構造の全体構造を示す斜視図である。
【図３】本実施形態に係る氷雪落下防止構造の全体構成を示す図で、（ａ）が平面図、（ｂ）が側面図である。
【図４】本実施形態に係る氷雪落下防止構造の正面断面図である。
【符号の説明】
【００２２】
１：水路管設備（配管設備）、２：氷雪落下防止構造、
１０：管体、１１：フランジ部、１２：作業通路、１３：床板、１４：手すり、
２０：骨組み、２１：パイプ部材、２２：防雪用シート、２３：樋、２３ａ：排水管、２４：取付孔、２５：ロープ、
Ａ：通行帯、Ｂ：管理橋
【図１】
2008075341.tif 000003
【図２】
2008075341.tif 000004
【図３】
2008075341.tif 000005
【図４】
2008075341.tif 000006